(57)【特許請求の範囲】
【請求項１】
OFDM（Orthogonal Frequency Division Multiplexing）信号に対する第１の周波数補正を行う第１の補正処理部と、
前記第１の周波数補正が施された前記OFDM信号に対する時間領域での適応処理である時間領域適応処理を行う時間領域適応処理部と、
前記時間領域適応処理の遅延量に応じて、前記時間領域適応処理が施された前記OFDM信号に対する、前記第１の周波数補正の逆補正である第２の周波数補正を行う第２の補正処理部と、
前記第２の補正処理が施された前記OFDM信号を、時間領域から周波数領域に変換するFFT演算部と、
前記OFDM信号に含まれる周波数領域の周波数誤差を検出する周波数領域周波数誤差検出部と、
検出した前記周波数誤差に応じた周波数補正量を生成する周波数補正量生成部と
を備え、
前記時間領域適応処理が前記OFDM信号に対する時間領域での適応処理を含む場合、前記第１の補正処理部、前記時間領域適応処理部、前記第２の補正処理部、前記FFT演算部、前記周波数領域周波数誤差検出部、及び前記周波数補正量生成部は、第１のフィードバックループを形成し、
前記時間領域適応処理が前記OFDM信号に対する時間領域での適応処理を含まない場合、前記第２の補正処理部、前記FFT演算部、前記周波数領域周波数誤差検出部、及び前記周波数補正量生成部は、第２のフィードバックループを形成する
受信装置。
【請求項２】
前記第１の補正処理部は、前記時間領域適応処理が前記OFDM信号に対する時間領域での適応処理を含む場合、生成した前記周波数補正量に基づいて、前記第１の周波数補正を行い、
前記第２の補正処理部は、前記時間領域適応処理が前記OFDM信号に対する時間領域での適応処理を含まない場合、生成した前記周波数補正量に基づいて、前記第２の周波数補正を行う
請求項１に記載の受信装置。
【請求項３】
前記第２のフィードバックループの遅延量は、前記第１のフィードバックループの遅延量よりも短縮される
請求項１に記載の受信装置。
【請求項４】
第１の補正処理部と、時間領域適応処理部と、第２の補正処理部と、FFT演算部と、周波数領域周波数誤差検出部と、周波数補正量生成部とを有する受信装置の受信方法において、
前記第１の補正処理部が、OFDM信号に対する第１の周波数補正をし、
前記時間領域適応処理部が、前記第１の周波数補正が施された前記OFDM信号に対する時間領域での適応処理である時間領域適応処理をし、
前記第２の補正処理部が、前記時間領域適応処理の遅延量に応じて、前記時間領域適応処理が施された前記OFDM信号に対する、前記第１の周波数補正の逆補正である第２の周波数補正をし、
前記FFT演算部が、前記第２の補正処理が施された前記OFDM信号を、時間領域から周波数領域に変換し、
前記周波数領域周波数誤差検出部が、前記OFDM信号に含まれる周波数領域の周波数誤差を検出し、
前記周波数補正量生成部が、検出した前記周波数誤差に応じた周波数補正量を生成する
ステップを含み、
前記時間領域適応処理が前記OFDM信号に対する時間領域での適応処理を含む場合、前記第１の補正処理部、前記時間領域適応処理部、前記第２の補正処理部、前記FFT演算部、前記周波数領域周波数誤差検出部、及び前記周波数補正量生成部は、第１のフィードバックループを形成し、
前記時間領域適応処理が前記OFDM信号に対する時間領域での適応処理を含まない場合、前記第２の補正処理部、前記FFT演算部、前記周波数領域周波数誤差検出部、及び前記周波数補正量生成部は、第２のフィードバックループを形成する
受信方法。
【発明の詳細な説明】
【技術分野】
【０００１】
本技術は、受信装置、及び受信方法に関し、特に、フィードバックループのループ遅延の短縮化を図るに際し、シームレスな信号出力をすることができるようにした受信装置、及び受信方法に関する。
【背景技術】
【０００２】
電子機器には、フィードバックループ回路が組み込まれるものがある（例えば、特許文献１参照）。また、この種のフィードバックループ回路には、フィードバックループ内に、所定の適応処理を行う適応処理部を有するものがある。
【０００３】
図１は、従来のフィードバックループ回路であって、適応処理部を有するものを示す図である。図１において、加算器１１、適応処理部１２、セレクタ１３、第１処理部１４、及び第２処理部１５は、同一のフィードバックループ内に配置され、フィードバックループ回路を構成している。また、このフィードバックループ回路には、適応処理部１２をバイパスする経路が設けられており、セレクタ１３により選択可能とされる。
【０００４】
図１のフィードバックループ回路において、セレクタ１３により適応処理部１２側が選択された場合、ループ遅延は、適応処理部１２における処理時間と、第１処理部１４及び第２処理部１５における処理時間の合計となる。
【０００５】
また、適応処理部１２での適応処理の状態が有効であるか否かの判定処理が行われ、当該適応処理の状態が実質的に無効とみなされた場合には、セレクタ１３によって、適応処理をバイパスする経路側が選択されることになる。この場合、ループ遅延は、第１処理部１４及び第２処理部１５における処理時間の合計となるので、適応処理部１２側が選択された場合と比べて、ループ遅延を短縮することができる。
【先行技術文献】
【特許文献】
【０００６】
【特許文献１】特開２００２−９４５８５号公報
【発明の概要】
【発明が解決しようとする課題】
【０００７】
しかしながら、従来のフィードバックループ回路であると、適応処理部１２における適応処理の状態が有効であるか否かの判定処理を行い、その判定結果に応じて経路を切り替えていたため、フィードバックループのループ遅延が動的に切り替えられることとなっていた。
【０００８】
そのため、シームレスに信号を出力することができず、フィードバックループ回路において、ループ遅延を短縮するだけでなく、シームレスな信号出力を行いたいという要求があった。
【０００９】
本技術はこのような状況に鑑みてなされたものであり、フィードバックループのループ遅延の短縮化を図るに際し、シームレスに信号を出力することができるようにするものである。
【課題を解決するための手段】
【００１７】
本技術の一側面の受信装置は、OFDM（Orthogonal Frequency Division Multiplexing）信号に対する第１の周波数補正を行う第１の補正処理部と、前記第１の周波数補正が施された前記OFDM信号に対する時間領域での適応処理である時間領域適応処理を行う時間領域適応処理部と、前記時間領域適応処理の遅延量に応じて、前記時間領域適応処理が施された前記OFDM信号に対する、前記第１の周波数補正の逆補正である第２の周波数補正を行う第２の補正処理部と、前記第２の補正処理が施された前記OFDM信号を、時間領域から周波数領域に変換するFFT演算部と、前記OFDM信号に含まれる周波数領域の周波数誤差を検出する周波数領域周波数誤差検出部と、検出した前記周波数誤差に応じた周波数補正量を生成する周波数補正量生成部とを備え、前記時間領域適応処理が前記OFDM信号に対する時間領域での適応処理を含む場合、前記第１の補正処理部、前記時間領域適応処理部、前記第２の補正処理部、前記FFT演算部、前記周波数領域周波数誤差検出部、及び前記周波数補正量生成部は、第１のフィードバックループを形成し、前記時間領域適応処理が前記OFDM信号に対する時間領域での適応処理を含まない場合、前記第２の補正処理部、前記FFT演算部、前記周波数領域周波数誤差検出部、及び前記周波数補正量生成部は、第２のフィードバックループを形成する受信装置である。
【００１９】
前記第１の補正処理部は、前記時間領域適応処理が前記OFDM信号に対する時間領域での適応処理を含む場合、生成した前記周波数補正量に基づいて、前記第１の周波数補正を行い、前記第２の補正処理部は、前記時間領域適応処理が前記OFDM信号に対する時間領域での適応処理を含まない場合、生成した前記周波数補正量に基づいて、前記第２の周波数補正を行う。
【００２０】
前記第２のフィードバックループの遅延量は、前記第１のフィードバックループの遅延量よりも短縮される。
【００２１】
本技術の一側面の受信装置は、独立した装置であってもよいし、１つの装置を構成している内部ブロックであってもよい。
【００２２】
本技術の一側面の受信方法は、前述した本技術の一側面の受信装置に対応する受信方法である。
【００２３】
本技術の一側面の受信装置及び受信方法においては、OFDM信号に対して第１の周波数補正がなされ、前記第１の周波数補正が施された前記OFDM信号に対して時間領域での適応処理である時間領域適応処理がなされ、前記時間領域適応処理の遅延量に応じて、前記時間領域適応処理が施された前記OFDM信号に対して、前記第１の周波数補正の逆補正である第２の周波数補正がなされ、前記第２の補正処理が施された前記OFDM信号が、時間領域から周波数領域に変換され、前記OFDM信号に含まれる周波数領域の周波数誤差が検出され、検出された前記周波数誤差に応じた周波数補正量が生成される。また、前記時間領域適応処理が前記OFDM信号に対する時間領域での適応処理を含む場合、前記第１の補正処理部、前記時間領域適応処理部、前記第２の補正処理部、前記FFT演算部、前記周波数領域周波数誤差検出部、及び前記周波数補正量生成部により、第１のフィードバックループが形成され、前記時間領域適応処理が前記OFDM信号に対する時間領域での適応処理を含まない場合、前記第２の補正処理部、前記FFT演算部、前記周波数領域周波数誤差検出部、及び前記周波数補正量生成部により、第２のフィードバックループが形成される。
【発明の効果】
【００２４】
本技術の一側面によれば、フィードバックループのループ遅延を短縮するとともに、シームレスな信号出力をすることができる。
【図面の簡単な説明】
【００２５】
【図１】従来のフィードバックループ回路の構成を示す図である。
【図２】本技術を適用した信号処理装置の一実施の形態の構成を示す図である。
【図３】適応処理が有効な状態となる場合のループ遅延を示す図である。
【図４】適応処理が遅延とみなされる場合を説明するための図である。
【図５】適応処理が遅延とみなされる場合のループ遅延を説明するための図である。
【図６】フィードバック量の相殺を説明するための図である。
【図７】適応処理が実質無効な状態となる場合のループ遅延を示す図である。
【図８】本技術を適用した受信装置の一実施の形態の構成を示す図である。
【図９】FFT部の詳細を示す図である。
【図１０】時間領域適応処理が有効な状態となる場合のループ遅延を示す図である。
【図１１】時間領域適応処理が実質無効な状態となる場合のループ遅延を示す図である。
【発明を実施するための形態】
【００２６】
以下、図面を参照しながら本技術の実施の形態について説明する。
【００２７】
［信号処理装置の構成例］
図２は、本技術の一実施の形態の信号処理装置の構成を示す図である。
【００２８】
図２に示すように、信号処理装置１００は、加算器１１１、適応処理部１１２、加算器１１３、加算器１１４、第１処理部１１５、第２処理部１１６、及び遅延処理部１１７から構成される。
【００２９】
加算器１１１は、前段の回路（不図示）から入力される信号に対し、第２処理部１１６から供給される信号を加算して第１の補正処理を行い、それにより得られた信号を、適応処理部１１２に供給する。
【００３０】
適応処理部１１２は、加算器１１１から供給される第１の補正処理が施された信号に対し、所定の適応処理を施して、それにより得られる信号を、加算器１１３に供給する。ただし、適応処理は、例えば、任意の係数に応じて信号を加工する処理など、処理の内容が動的に変化する処理である。
【００３１】
加算器１１３には、適応処理部１１２からの適応処理が施された信号と、遅延処理部１１７からの遅延処理が施された信号が供給される。ただし、遅延処理が施された信号は、加算器１１１に供給される信号と同一の信号であって、適応処理部１１２における処理遅延と同一の遅延が施された信号となる。
【００３２】
加算器１１３は、適応処理部１１２からの信号に対し、遅延処理部１１７からの信号をマイナス加算して、第１の補正処理の逆補正である第２の補正処理を行い、それにより得られる信号を、加算器１１４に供給する。
【００３３】
加算器１１４は、加算器１１３から供給される信号に対し、第２処理部１１６から供給される信号を加算し、それにより得られる信号を、第１処理部１１５に供給する。
【００３４】
第１処理部１１５は、加算器１１４から供給される信号に対し、第１の信号処理を施して、それにより得られる信号を、後段の回路（不図示）及び第２処理部１１６に供給する。ただし、第１の信号処理は、例えば、高速フーリエ変換（FFT：Fast Fourier Transform）など、処理の内容が動的に変化しない固定的な処理である。
【００３５】
第２処理部１１６には、第１処理部１１５により第１の信号処理が施された信号が供給される。第２処理部１１６は、第１処理部１１５から供給される信号に対し、第２の信号処理を施して、それにより得られる信号を、加算器１１１、加算器１１４、及び遅延処理部１１７に供給する。ただし、第２の信号処理は、上記の第１の信号処理と同様に、処理の内容が動的に変化しない固定的な処理である。
【００３６】
遅延処理部１１７は、第２処理部１１６から供給される信号に対し、所定の遅延処理を施して、それにより得られる信号を、加算器１１３に供給する。ただし、遅延処理は、第２処理部１１６からの信号を、適応処理部１１２における処理遅延と同じだけ遅延させる処理である。
【００３７】
信号処理装置１００は、以上のように構成される。
【００３８】
［本技術の動作原理］
信号処理装置１００は、図２の構成を有することで、適応処理の適応状態が遅延のみとみなせる場合には、補正処理を実質的に無効化することができる。また、信号処理装置１００では、適応処理の適応状態に応じて、フィードバックループが自動的に切り替わって動作するため、適応状態の判定処理が不要であり、さらにその切り替え処理も不要となるため、シームレスな動作が可能となる。以下、図３乃至図７を参照して、本技術の動作原理について説明する。
【００３９】
図３に示すように、適応処理部１１２における適応処理が有効な状態であって、入力される信号を加工する処理を含む場合、フィードバックループは、外周のループＬ１（図中の太線）のループ遅延で動作する。このときのループ遅延は、適応処理部１１２における適応処理と、第１処理部１１５における第１の信号処理と、第２処理部１１６における第２の信号処理のそれぞれの処理時間の合計の時間となる。
【００４０】
一方、適応処理部１１２における適応処理が、入力される信号を遅延させるだけであって、信号を加工する処理を含まない実質的に無効な状態である場合には、当該適応処理は、適応処理と同様の遅延とみなすことができる。
【００４１】
すなわち、図４に示すように、適応処理部１１２にて処理Ａが行われる場合であって、遅延処理部１１７にて処理Ａに応じて補正量が遅延される場合に、適応処理としての処理Ａが実質無効な状態となるときには、加算器１１１にて補正された補正量を、加算器１１３にて逆補正することで、回路構成Ａは、回路構成Ｂとして捉えることができる。
【００４２】
そして、適応処理部１１２における適応処理が実質無効な状態の場合には、図４の関係を有することから、図５に示すように、当該適応処理は、等価的にフィードバックループのループ外の処理であるとみなすことができる。また、この場合、フィードバックループは、内周のループＬ２（図中の太線）のループ遅延で動作する。このときのループ遅延は、第１処理部１１５における第１の信号処理と、第２処理部１１６における第２の信号処理のそれぞれの処理時間の合計の時間となる。
【００４３】
また、上記の関係を、信号処理装置１００全体としてみると、図６に示すようになる。すなわち、信号処理装置１００においては、適応処理部１１２における適応処理が実質無効な状態で、適応処理と同様の遅延とみなすことができる場合には、加算器１１１による第１の補正処理と、加算器１１３による第２の補正処理によって、フィードバック量が相殺され、フィードバックがされてないものとみなすことができる。
【００４４】
この場合、図７に示すように、信号処理装置１００において、フィードバックループは、内周のループＬ２（図中の太線）のループ遅延で動作する。このとき、ループ遅延は、第１の信号処理と第２の信号処理の処理時間の合計の時間となるので、外周のループＬ１（図３）のループ遅延で動作する場合の時間と比べて、ループ遅延を短縮することができる。
【００４５】
以上をまとめると、次のとおりである。すなわち、適応処理部１１２における適応処理が有効な状態であって、信号の加工処理を含む場合には、フィードバックループは、図３に示したように、外周のループＬ１のループ遅延で動作することになる。一方、適応処理部１１２における適応処理が信号を遅延させるだけであって、信号の加工処理を含まない実質的に無効な状態である場合には、フィードバックループは、図７に示したように、内周のループＬ２のループ遅延で動作することになる。
【００４６】
これにより、適応処理部１１２における適応処理が実質的に無効な状態である場合には、フィードバックループのループ遅延を短縮することができる。
【００４７】
また、適応処理部１１２における適応処理が、有効な状態から実質無効な状態に変化した場合、フィードバックループでは、そのループ特性によって、ループ遅延が、ループＬ１からループＬ２に自動的に切り替わって動作することになる。また、その逆に、適応処理が実質無効な状態から有効な状態に変化した場合には、ループ遅延が、ループＬ２からループＬ１に自動的に切り替わることになる。
【００４８】
よって、信号処理装置１００においては、フィードバックループのループ遅延の短縮化を図るに際して、適応処理の適応状態の判定処理が不要であり、さらにその切り替え処理も不要となる。その結果、信号処理装置１００は、シームレスにループ遅延を切り替えながら、所定の信号処理が施された信号を出力することができる。
【００４９】
以上、本技術の動作原理について説明した。
【００５０】
［本技術の具体的な適用例］
ところで、近年、デジタル信号を伝送する方式として、直交周波数分割多重（OFDM：Orthogonal Frequency Division Multiplexing）方式と呼ばれる変調方式が用いられている。このOFDM方式は、伝送帯域内に多数の直交するサブキャリアを用意し、それぞれのサブキャリアの振幅及び位相にデータを割り当て、PSK（Phase Shift Keying）やQAM（Quadrature Amplitude Modulation）によりデジタル変調する方式である。
【００５１】
OFDM方式は、マルチパスの妨害の影響を強く受ける地上波デジタル放送に適用されることが多い。このようなOFDM方式を採用した地上波デジタル放送としては、例えば、DVB-T（Digital Video Broadcasting-Terrestrial）やISDB-T（Integrated Services Digital Broadcasting-Terrestrial）等の規格がある。
【００５２】
また、ETSI(European Telecommunication Standard Institute：欧州電気通信標準化機構)により、次世代の地上デジタル放送の規格としてDVB(Digital Video Broadcasting)-T.2が制定されている。
【００５３】
本技術は、DVB-T2に対応した受信機で行われる復調処理でのOFDM信号の周波数誤差を補正するためのフィードバックループ（以下、周波数誤差補正ループという）に適用することができる。そこで、次に、図８乃至図１１を参照して、本技術の具体的な適用例として、周波数誤差補正ループにおけるループ遅延の短縮化について説明する。
【００５４】
（受信装置の構成例）
図８は、本技術を適用した受信装置の一実施の形態の構成を示す図である。
【００５５】
受信装置２００は、DVB-T2規格に対応した受信機である。受信装置２００は、アンテナ２０１、チューナ２０２、A/D変換部２０３、直交復調部２０４、FFT部２０５、等化部２０６、デコーダ２０７、及び出力部２０８から構成される。
【００５６】
アンテナ２０１は、放送局等に設置された送信機から伝送路を介して伝送されてくるOFDM信号を受信し、チューナ２０２に供給する。チューナ２０２は、アンテナ２０１により受信されたOFDM信号に周波数変換などの処理を施してA/D変換部２０３に供給する。
【００５７】
A/D変換部２０３は、チューナ２０２から供給されるOFDM信号の利得を増幅又は減衰させるとともに、OFDM信号にA/D（Analog/Digital）変換処理を施してOFDM信号をアナログ信号からデジタル信号に変換する。A/D変換部２０３は、デジタル信号に変換されたOFDM信号を直交復調部２０４に供給する。
【００５８】
直交復調部２０４は、A/D変換部２０３から供給されたOFDM信号を、所定の周波数の搬送波信号により直交復調し、これにより得られたベースバンド信号であるOFDM信号をFFT部２０５に供給する。
【００５９】
FFT部２０５は、直交復調部２０４から供給されたOFDM信号に対して高速フーリエ変換（FFT：Fast Fourier Transform）を施し、等化部２０６に供給する。なお、詳細は後述するが、FFT部２０５においては、周波数誤差補正ループによって、OFDM信号の周波数誤差が補正される。
【００６０】
等化部２０６は、FFT部２０５から供給されたOFDM信号のひずみを補正することにより、OFDM信号を等化する。等化部２０６によって等化されたOFDM信号は、デマッピング処理が施されることでデータとして復元され、復調されたデータとして、デコーダ２０７に供給される。
【００６１】
デコーダ２０７は、等化部２０６から供給される符号化データを、例えばMPEG（Moving Picture Experts Group）復号し、その結果得られる画像や音声のデータを、出力部２０８に供給する。
【００６２】
出力部２０８は、デコーダ２０７から供給される画像や音声のデータを出力する。
【００６３】
受信装置２００は、以上のように構成される。
【００６４】
（FFT部の構成例）
図９は、図８のFFT部２０５の構成例を示している。
【００６５】
図９に示すように、FFT部２０５は、回転補正部２１１、時間領域適応処理部２１２、回転補正部２１３、FFT演算部２１４、周波数領域周波数誤差検出部２１５、周波数補正量生成部２１６、周波数位相変換部２１７、時間領域適応処理遅延部２１８、加算器２１９、及び周波数位相変換部２２０から構成される。また、回転補正部２１１乃至周波数位相変換部２２０によって、周波数誤差補正ループが構成されることになる。
【００６６】
前段の直交復調部２０４による直交変調により得られたベースバンド信号である時間領域のOFDM信号は、回転補正部２１１に供給される。
【００６７】
回転補正部２１１は、周波数位相変換部２１７から供給される周波数補正量に従い、直交復調部２０４から供給されるOFDM信号に含まれる周波数誤差を回転補正する。回転補正部２１１は、補正後の時間領域のOFDM信号を時間領域適応処理部２１２に供給する。
【００６８】
時間領域適応処理部２１２は、回転補正部２１１から供給される時間領域のOFDM信号に対して時間領域適応処理を行う。時間領域適応処理部２１２は、時間領域適応処理が施されたOFDM信号を、回転補正部２１３に供給する。
【００６９】
ここでは、周波数領域での補正が困難な外乱に対して補正を行うために、時間領域で適応処理を行う。
【００７０】
回転補正部２１３は、周波数位相変換部２２０から供給される周波数補正量に従い、時間領域適応処理部２１２から供給されるOFDM信号に含まれる周波数誤差を回転補正する。回転補正部２１３は、補正後のOFDM信号をFFT演算部２１４に供給する。
【００７１】
FFT演算部２１４は、回転補正部２１３から供給されるOFDM信号に対して高速フーリエ変換を施し、それにより得られる周波数領域のOFDM信号を、後段の等化部２０６及び周波数領域周波数誤差検出部２１５に供給する。
【００７２】
周波数領域周波数誤差検出部２１５は、FFT演算部２１４から供給される周波数領域のOFDM信号に含まれる周波数誤差を推定する。この周波数誤差推定量は、例えば、OFDMのパイロットシンボル間の位相差に基づき推定される。周波数領域周波数誤差検出部２１５は、推定した周波数誤差推定量を周波数補正量生成部２１６に供給する。
【００７３】
周波数補正量生成部２１６は、周波数領域周波数誤差検出部２１５から供給される周波数誤差推定量に基づいて、周波数補正量を生成する。周波数補正量生成部２１６は、生成した周波数補正量を、周波数位相変換部２１７、時間領域適応処理遅延部２１８、及び加算器２１９を介して周波数位相変換部２２０に供給する。
【００７４】
周波数位相変換部２１７は、周波数補正量生成部２１６から供給される周波数補正量を所定の変換規則に従って変換する。周波数位相変換部２１７は、変換後の周波数補正量を回転補正部２１１に供給する。
【００７５】
時間領域適応処理遅延部２１８は、周波数補正量生成部２１６から供給される周波数補正量を、時間領域適応処理部２１２における処理遅延と同じだけ遅延させる。遅延された周波数補正量は、加算器２１９を介して周波数位相変換部２２０に供給される。
【００７６】
周波数位相変換部２２０は、加算器２１９から供給される周波数補正量を所定の変換規則に従って変換する。周波数位相変換部２２０は、変換後の周波数補正量を回転補正部２１３に供給する。
【００７７】
FFT部２０５は、以上のように構成される。
【００７８】
（周波数誤差補正ループのループ遅延）
図９の周波数誤差補正ループにおいて、時間領域適応処理部２１２は、図２の適応処理部１１２に相当し、時間領域適応処理遅延部２１８は、図２の遅延処理部１１７に相当するものである。また、回転補正部２１１及び周波数位相変換部２１７は、図２の加算器１１１に相当し、回転補正部２１３、加算器２１９、及び周波数位相変換部２２０は、図２の加算器１１３又は加算器１１４に相当するものである。さらに、FFT演算部２１４は、図２の第１処理部１１５に相当し、周波数領域周波数誤差検出部２１５及び周波数補正量生成部２１６は、図２の第２処理部１１６に相当するものである。
【００７９】
すなわち、図９の周波数誤差補正ループでは、図２のフィードバックループと同様に、回転補正部２１１にて補正された周波数補正量が、回転補正部２１３にて逆補正されることとなる。そして、時間領域適応処理部２１２における時間領域適応処理が実質無効な状態で、遅延とみなせる場合には、フィードバック量が相殺され、フィードバックがされていないものとみなすことができる。
【００８０】
具体的には、図１０に示すように、周波数誤差補正ループは、時間領域適応処理が有効な状態である場合、外周のループＬ３（図中の太線）のループ遅延で動作する。
【００８１】
一方、時間領域適応処理が入力されるOFDM信号を遅延させるだけで実質的に無効な状態である場合には、時間領域適応処理部２１２にて遅延された回転補正部２１１による補正量が、時間領域適応処理遅延部２１８にて遅延された補正量によって相殺されることになる。したがって、この場合には、図１１に示すように、周波数誤差補正ループは、内周のループＬ４（図中の太線）のループ遅延で動作する。
【００８２】
例えば、FFT演算部２１４及び周波数領域周波数誤差検出部２１５においてそれぞれ１シンボル分の遅延が生じ、時間領域適応処理部２１２において２シンボル弱の遅延が生じる場合、時間領域適応処理が有効な状態であって、ループＬ３のループ遅延で動作するときには、４シンボル弱の遅延が生じることとなる。それに対して、時間領域適応処理が実質無効な状態であって、ループＬ４のループ遅延で動作するときには、２シンボルの遅延ですむため、周波数変動に対する追従性の悪化を抑制して、高速な追従性を実現することができる。
【００８３】
以上のように、受信装置２００において、時間領域適応処理部２１２における時間領域適応処理が実質的に無効な状態である場合には、周波数誤差補正ループのループ遅延を短縮することができる。
【００８４】
また、時間領域適応処理部２１２における時間領域適応処理が、有効な状態から実質無効な状態に変化した場合、周波数誤差補正ループでは、そのループ特性によって、ループ遅延が、ループＬ３からループＬ４に自動的に切り替わって動作することになる。また、その逆に、時間領域適応処理が実質無効な状態から有効な状態に変化した場合には、ループＬ４からループＬ３に自動的に切り替わることになる。
【００８５】
よって、受信装置２００においては、周波数誤差補正ループのループ遅延の短縮化を図るに際して、時間領域適応処理の適応状態の判定処理が不要であり、さらにその切り替え処理も不要となる。その結果、受信装置２００は、シームレスにループ遅延を切り替えながら、所定の信号処理が施された信号を出力することができる。
【００８６】
なお、前述した説明では、信号処理装置１００において、第１処理部１１５と第２処理部１１６の２つの処理部を設ける例を説明したが、１又は３以上の処理部を設けるようにしてもよい。
【００８７】
また、本技術の実施の形態は、前述した実施の形態に限定されるものではなく、本技術の要旨を逸脱しない範囲において種々の変更が可能である。
【００８８】
さらに、本技術は、以下のような構成をとることができる。
【００８９】
（１）
所定の信号に対する第１の補正を行う第１の補正処理部と、
前記第１の補正が施された信号に対する所定の適応処理を行う適応処理部と、
前記適応処理の遅延量に応じて、前記適応処理が施された信号に対する、前記第１の補正の逆補正である第２の補正を行う第２の補正処理部と
を備える信号処理装置。
（２）
前記第１の補正処理部、前記適応処理部、及び前記第２の補正処理部は、同一のフィードバックループ内に配置され、
前記フィードバックループの遅延量は、前記適応処理における適応状態に応じて調整される
（１）に記載の信号処理装置。
（３）
所定の信号処理を行う１又は複数の処理部をさらに備え、
前記処理部は、前記フィードバックループ内に配置される
（２）に記載の信号処理装置。
（４）
前記フィードバックループの遅延量は、前記適応処理が前記信号の加工処理を含まない場合に、前記適応処理が前記信号の加工処理を含む場合よりも短縮される
（２）又は（３）に記載の信号処理装置。
（５）
信号処理装置の信号処理方法において、
前記信号処理装置が、
所定の信号に対する第１の補正をし、
前記第１の補正が施された信号に対する所定の適応処理をし、
前記適応処理の遅延量に応じて、前記適応処理が施された信号に対する、前記第１の補正の逆補正である第２の補正をする
ステップを含む信号処理方法。
（６）
OFDM（Orthogonal Frequency Division Multiplexing）信号に対する第１の周波数補正を行う第１の補正処理部と、
前記第１の周波数補正が施された前記OFDM信号に対する時間領域での適応処理である時間領域適応処理を行う時間領域適応処理部と、
前記時間領域適応処理の遅延量に応じて、前記時間領域適応処理が施された前記OFDM信号に対する、前記第１の周波数補正の逆補正である第２の周波数補正を行う第２の補正処理部と
を備える受信装置。
（７）
前記第１の補正処理部、前記時間領域適応処理部、及び前記第２の補正処理部は、同一のフィードバックループ内に配置され、
前記フィードバックループの遅延量は、前記時間領域適応処理における適応状態に応じて調整される
（６）に記載の受信装置。
（８）
前記第２の補正処理が施された前記OFDM信号を、時間領域から周波数領域に変換するFFT演算部と、
前記OFDM信号に含まれる周波数領域の周波数誤差を検出する周波数領域周波数誤差検出部と、
検出した前記周波数誤差に応じた周波数補正量を生成する周波数補正量生成部と
をさらに備え、
前記FFT演算部、前記周波数領域周波数誤差検出部、及び前記周波数補正量生成部は、前記フィードバックループ内に配置され、
前記第１の補正処理部は、生成した前記周波数補正量に基づいて、前記第１の周波数補正を行う
（７）に記載の受信装置。
（９）
前記フィードバックループの遅延量は、前記時間領域適応処理が前記OFDM信号に対する時間領域での適応処理を含まない場合に、前記時間領域適応処理が前記OFDM信号に対する時間領域での適応処理を含む場合よりも短縮される
（７）又は（８）に記載の受信装置。
（１０）
受信装置の受信方法において、
前記受信装置が、
OFDM信号に対する第１の周波数補正をし、
前記第１の周波数補正が施された前記OFDM信号に対する時間領域での適応処理である時間領域適応処理をし、
前記時間領域適応処理の遅延量に応じて、前記時間領域適応処理が施された前記OFDM信号に対する、前記第１の周波数補正の逆補正である第２の周波数補正をする
ステップを含む受信方法。
【符号の説明】
【００９０】
１００  信号処理装置，  １１１  加算器，  １１２  適応処理部，  １１３  加算器，  １１４  加算器，  １１５  第１処理部，  １１６  第２処理部，  １１７  遅延処理部，  ２００  受信装置，  ２０１  アンテナ，  ２０２  チューナ，  ２０３  A/D変換部，  ２０４  直交復調部，  ２０５  FFT部，  ２０６  等化部，  ２０７  デコーダ，  ２０８  出力部，  ２１１  回転補正部，  ２１２  時間領域適応処理部，  ２１３  回転補正部，  ２１４  FFT演算部，  ２１５  周波数領域周波数誤差検出部，  ２１６  周波数補正量生成部，  ２１７  周波数位相変換部，  ２１８  時間領域適応処理遅延部，  ２１９  加算器，  ２２０  周波数位相変換部
【図１】
0005983996.tif 000002
【図２】
0005983996.tif 000003
【図３】
0005983996.tif 000004
【図４】
0005983996.tif 000005
【図５】
0005983996.tif 000006
【図６】
0005983996.tif 000007
【図７】
0005983996.tif 000008
【図８】
0005983996.tif 000009
【図９】
0005983996.tif 000010
【図１０】
0005983996.tif 000011
【図１１】
0005983996.tif 000012